(57)【要約】【課題】インターネットを介して添削を行う通信添削システムにおいて、受講者が解答用紙に解答を記入することができるとともに、解答に対して任意のコメントを付与する。【解決手段】  問題用紙７０及び解答用紙８０が受講者に配布され、受講者が解答用紙８０に回答を記入してこの解答用紙８０が回収されると、受講者が記入した解答に対して添削が行われ、この添削内容がスキャナ装置２１にてイメージデータとして読み取られ、解答用紙８０に記載された二次元コード８１で表現される受講者ＩＤとともに添削情報管理サーバ３０に送られ、受講者ＩＤによって特定可能な領域に登録される。その後、インターネット４０に接続可能な受講者端末１０−１〜１０−ｎにて、イメージデータが登録された領域にアクセスが行われると、その領域に登録されたイメージデータが端末１０−１〜１０−ｎに送信される。【選択図】図１
2005107164.tif 000002
【特許請求の範囲】
【請求項１】
問題用紙及び解答用紙が受講者に配布され、受講者から解答用紙が回収されて該解答用紙に対して添削が行われた添削結果が受講者に通知される通信添削システムであって、
前記解答用紙には、識別情報が記載され、
インターネットに接続可能な端末と、
添削された解答用紙に記入された情報をイメージデータとして読み取る読取手段と、
前記読取手段にて読み取られたイメージデータを、当該解答用紙に記載された識別情報によって特定可能な領域に登録しておき、前記端末にて前記領域にアクセスされた場合に該領域に登録されたイメージデータを当該端末に送信する添削情報管理手段とを有することを特徴とする通信添削システム。
【請求項２】
請求項１に記載の通信添削システムにおいて、
前記添削情報管理手段は、前記識別情報によって特定可能な領域にアクセスするためのアクセス情報を、当該識別情報が記載された解答用紙の配布先として登録された端末に通知することを特徴とする通信添削システム。
【請求項３】
請求項１に記載の通信添削システムにおいて、
前記問題用紙には、該問題用紙とともに配布される解答用紙に記載された識別情報によって特定される領域にアクセスするためのアクセス情報が記載されていることを特徴とする通信添削システム。
【請求項４】
請求項３に記載の通信添削システムにおいて、
前記解答用紙には、パスワードを記入するための領域が設けられており、
前記添削情報管理手段は、前記イメージデータを、前記解答用紙に記入されたパスワードと対応づけて前記領域に登録しておき、前記端末にて前記領域にアクセスされ、かつ、前記パスワードが指定された場合に、該領域に登録されたイメージデータを当該端末に送信することを特徴とする通信添削システム。
【請求項５】
問題用紙及び解答用紙が受講者に配布され、受講者から解答用紙が回収されて該解答用紙に対して添削が行われた添削結果を登録しておき、インターネットに接続可能な端末からのアクセスによって、前記添削結果をインターネットを介して前記端末に提供する添削情報管理サーバであって、
添削された解答用紙に記入された情報を、当該解答用紙に記載された識別情報によって特定可能な領域にイメージデータとして登録しておき、前記端末にて前記領域にアクセスされた場合に該領域に登録されたイメージデータを当該端末に送信することを特徴とする添削情報管理サーバ。
【請求項６】
請求項５に記載の添削情報管理サーバにおいて、
前記識別情報によって特定可能な領域にアクセスするためのアクセス情報を、当該識別情報が記載された解答用紙の配布先として登録された端末に通知するアクセス先通知手段を有することを特徴とする添削情報管理サーバ。
【発明の詳細な説明】
【技術分野】
【０００１】
本発明は、問題用紙及び解答用紙が受講者に配布され、受講者から解答用紙が回収されて該解答用紙に対して添削が行われた添削結果が受講者に通知される通信添削システムに関し、特に、添削結果がインターネットを介して受講者に通知される通信添削システム及び添削情報管理サーバに関する。
【背景技術】
【０００２】
従来より、問題用紙及び解答用紙が受講者に配布され、受講者から解答用紙が回収されて該解答用紙に対して添削が行われた添削結果が受講者に通知される通信添削システムにおいては、受講者が受講機関等に通わずにその指導を受けることができるため、地理的な制約や時間的な制約によって受講機関に通うことができない受講者にとっては便利なシステムとして利用されている。
【０００３】
近年、インターネットやパソコンの急速な普及に伴い、このような通信添削システムをインターネット上で実現する技術が考えられている（例えば、特許文献１参照。）。この技術においては、受講者が受講サイトに登録すると、受講サイトにおいて、受講者のレベルに応じた設問が自動的に選択されてインターネットを介して配信され、受講者は、配信されてきた設問に対する解答をインターネットを介して返信する。その後、受講サイトにおいて、受講者から返信されてきた解答が添削及び採点され、結果を示す情報が受講者に送信される。なお、受講サイトにおける解答の添削及び採点においては、受講者から返信されてきた解答とサーバ内に予め登録された正解とが照合され、この照合結果に基づいてサーバ内にて自動的に行われる。このようなインターネットを介しての通信添削を行う通信添削システムにおいては、問題用紙や解答用紙を郵送する必要がないため、受講者に対する問題の提供から添削結果の通知までの時間を短縮することができる。
【０００４】
また、このようなインターネットを介しての通信添削システムにおいては、受講者に対して、誤答した問題の類似問題を配信する技術も考えられている（例えば、特許文献２参照。）。
【特許文献１】特開２００２−２６８５２６号公報
【特許文献２】特開２００３−６６８２３号公報
【発明の開示】
【発明が解決しようとする課題】
【０００５】
一般に、模擬試験等のような実際に行われる試験においては、解答用紙に実際に解答を記入することになるため、このことを鑑みた場合、通信添削においても解答用紙に実際に解答を記入するような構成としておくことが好ましい。
【０００６】
しかしながら、上述したようなインターネットを介しての通信添削システムにおいては、受講者は、インターネットを介して問題を取得し、取得した問題に対する解答をインターネットを介して送信することになるため、解答用紙に実際に解答を記入することができないという問題点がある。
【０００７】
また、添削及び採点がサーバ内にて自動的に行われるため、解答に対する添削としてのコメントが予め決められたもののみとなり、特に、記述式や論述式の問題については、その解答に対して適切なコメントを付与することができない場合がある。
【０００８】
本発明は、上述したような従来の技術が有する問題点に鑑みてなされたものであって、インターネットを介して添削を行う通信添削システムにおいて、受講者が解答用紙に解答を記入することができるとともに、解答に対して任意のコメントを付与することができる通信添削システム及び添削情報管理サーバを提供することを目的とする。
【課題を解決するための手段】
【０００９】
上記目的を達成するために本発明は、
問題用紙及び解答用紙が受講者に配布され、受講者から解答用紙が回収されて該解答用紙に対して添削が行われた添削結果が受講者に通知される通信添削システムであって、
前記解答用紙には、識別情報が記載され、
インターネットに接続可能な端末と、
添削された解答用紙に記入された情報をイメージデータとして読み取る読取手段と、
前記読取手段にて読み取られたイメージデータを、当該解答用紙に記載された識別情報によって特定可能な領域に登録しておき、前記端末にて前記領域にアクセスされた場合に該領域に登録されたイメージデータを当該端末に送信する添削情報管理手段とを有することを特徴とする。
【００１０】
また、前記添削情報管理手段は、前記識別情報によって特定可能な領域にアクセスするためのアクセス情報を、当該識別情報が記載された解答用紙の配布先として登録された端末に通知することを特徴とする。
【００１１】
また、前記問題用紙には、該問題用紙とともに配布される解答用紙に記載された識別情報によって特定される領域にアクセスするためのアクセス情報が記載されていることを特徴とする。
【００１２】
また、前記解答用紙には、パスワードを記入するための領域が設けられており、
前記添削情報管理手段は、前記イメージデータを、前記解答用紙に記入されたパスワードと対応づけて前記領域に登録しておき、前記端末にて前記領域にアクセスされ、かつ、前記パスワードが指定された場合に、該領域に登録されたイメージデータを当該端末に送信することを特徴とする。
【００１３】
また、問題用紙及び解答用紙が受講者に配布され、受講者から解答用紙が回収されて該解答用紙に対して添削が行われた添削結果を登録しておき、インターネットに接続可能な端末からのアクセスによって、前記添削結果をインターネットを介して前記端末に提供する添削情報管理サーバであって、
添削された解答用紙に記入された情報を、当該解答用紙に記載された識別情報によって特定可能な領域にイメージデータとして登録しておき、前記端末にて前記領域にアクセスされた場合に該領域に登録されたイメージデータを当該端末に送信することを特徴とする。
【００１４】
また、前記識別情報によって特定可能な領域にアクセスするためのアクセス情報を、当該識別情報が記載された解答用紙の配布先として登録された端末に通知するアクセス先通知手段を有することを特徴とする。
【００１５】
上記のように構成された本発明においては、問題用紙及び解答用紙が受講者に配布され、受講者が解答用紙に回答を記入してこの解答用紙が回収されると、受講者が記入した解答に対して添削が行われ、この添削内容が読取手段にてイメージデータとして読み取られる。このイメージデータは、解答用紙に記載された識別情報とともに添削情報管理手段に送られ、識別情報によって特定可能な領域に登録される。その後、インターネットに接続可能な端末にて、イメージデータが登録された領域にアクセスが行われると、その領域に登録されたイメージデータが端末に送信される。
【００１６】
このように、受講者によって解答が記入され、その解答に対して添削が行われた解答用紙のイメージデータが登録され、このイメージデータがインターネットを介して受講者に送信されるので、インターネットを介して添削を行う通信添削システムにおいて、受講者が解答用紙に解答を記入することができるとともに、解答に対して任意のコメントを付与することができるようになる。
【００１７】
なお、イメージデータが登録された領域に対するアクセスにおいては、その領域にアクセスするためのアクセス情報を、その領域を特定可能な識別情報が記載された解答用紙の配布先として登録された端末に対して添削情報管理手段から通知することや、解答用紙とともに受講者に配布される問題用紙にアクセス情報を記載しておくこと等によって、受講者がアクセスできるようにすることが考えられる。
【００１８】
また、解答用紙とともに受講者に配布される問題用紙にアクセス情報を記載しておく場合に、さらに、解答用紙にパスワードを記入するための領域を設け、添削情報管理手段において、イメージデータを解答用紙に記入されたパスワードと対応づけて登録しておき、端末にてイメージデータが登録された領域にアクセスされた場合に、解答用紙に記入されたパスワードが指定された場合にのみ、その領域に登録されたイメージデータを端末に送信するようにすれば、問題用紙に記載されたアクセス情報を用いて第三者がアクセスした場合にイメージデータが漏洩してしまうことが防止される。
【発明の効果】
【００１９】
以上説明したように本発明においては、受講者によって解答が記入され、その解答に対して添削が行われた解答用紙のイメージデータが登録され、このイメージデータがインターネットを介して受講者に送信される構成としたため、インターネットを介して添削を行う通信添削システムにおいて、受講者が解答用紙に解答を記入することができるとともに、解答に対して任意のコメントを付与することができるようになる。
【００２０】
また、イメージデータが登録された領域に対するアクセスを、解答用紙とともに受講者に配布される問題用紙にアクセス情報を記載しておくこと等によって受講者が行うことができるようにしておく場合に、さらに、解答用紙にパスワードを記入するための領域を設け、添削情報管理手段において、イメージデータを解答用紙に記入されたパスワードと対応づけて登録しておき、端末にて領域にアクセスされ、かつ、解答用紙に記入されたパスワードが指定された場合に、その領域に登録されたイメージデータを端末に送信するようにすれば、問題用紙に記載されたアクセス情報を用いて第三者がアクセスした場合にイメージデータが漏洩してしまうことを防止することができる。
【発明を実施するための最良の形態】
【００２１】
以下に、本発明の実施の形態について図面を参照して説明する。
【００２２】
（第１の実施の形態）
図１は、本発明の通信添削システムの第１の実施の形態を示す図である。
【００２３】
本形態は図１に示すように、受講者情報データベース５１及び問題情報データベース５２を参照して問題用紙７０及び解答用紙８０を印刷し、受講者に配布する印刷部６０と、受講者が所有し、インターネット４０に接続可能に構成された受講者端末１０−１〜１０−ｎと、添削された解答用紙に記入された情報をイメージデータとして読み取る読取手段であるスキャナ装置２１と、インターネット４０に接続され、スキャナ装置２１にて読み取られた情報をインターネット４０を介してアップロードするための添削者端末２０と、添削者端末２０からアップロードされた情報を添削情報データベース５３に登録するとともに、添削者端末２０からアップロードされた情報が添削情報データベース５３に登録された際に受講者端末１０−１〜１０−ｎに対してその旨を電子メールにて通知し、また、添削情報データベース５３に登録された情報や問題情報データベース５２に登録された情報を受講者端末１０−１〜１０−ｎに送信する添削情報管理サーバ３０とから構成されている。また、添削情報管理サーバ３０は、添削者端末２０からアップロードされた情報を、添削情報データベース５３のうち、解答用紙８０に記載された二次元コード８１によって特定可能な領域に登録するとともに、受講者端末１０−１〜１０−ｎにてその領域にアクセスされた場合に添削情報データベース５３に登録された情報を検索する添削情報登録部３２と、添削者端末２０からアップロードされた情報が添削情報データベース５３に登録された場合に、その登録された領域へアクセスするためのアクセス情報を、受講者情報データベース５１を参照して受講者端末１０−１〜１０−ｎに電子メールで通知するアクセス先通知部３４と、受講者端末１０−１〜１０−ｎにおける指定に従って問題情報データベース５２に登録された情報を検索する問題情報管理部３１と、添削情報登録部３２にて添削情報データベース５３から検索された情報や問題情報管理部３１にて問題情報データベース５２から検索された情報をインターネット４０を介して受講者端末１０−１〜１０−ｎに送信する添削結果提供部３３とから構成されている。
【００２４】
以下に、上記のように構成された通信添削システムにおける通信添削処理について説明する。
【００２５】
まず、印刷部６０において、受講者情報データベース５１及び問題情報データベース５２が参照され、問題用紙７０及び解答用紙８０が印刷される。ここで、問題用紙７０に印刷される問題においては、例えば、受講者情報データベース５１に登録された受講者の学習レベルに応じた問題が問題情報データベース５２から抽出されて問題用紙７０に印刷されることが考えられる。そのため、受講者情報データベース５１には、受講者の受講者ＩＤや、受講者の氏名や住所、受講者端末１０−１〜１０−ｎの電子メールアドレス等の属性情報の他に、学習レベルについての情報が登録されている。また、解答用紙８０には、受講者情報データベース５１に登録された受講者ＩＤが識別情報として二次元コード８１によって表現されて印刷されている。これらの情報が印刷された問題用紙７０及び解答用紙８０は、その後、受講者に配布される。
【００２６】
受講者は、印刷部６０から配布された問題用紙７０及び解答用紙８０を受け取ると、問題用紙７０に印刷された問題に対する解答を解答用紙８０に記入し、添削者に送付する。
【００２７】
添削者は、受講者から送付されてきた解答用紙８０に記入された解答に対して添削を行い、添削された解答用紙８０に記入された情報を添削情報管理サーバ３０にアップロードする。
【００２８】
図２は、図１に示した通信添削システムにおいて、添削された解答用紙８０に記入された情報が添削情報管理サーバ３０に登録される場合の処理を説明するためのフローチャートである。
【００２９】
添削された解答用紙８０に記入された情報が添削情報管理サーバ３０にアップロードされる場合、まず、解答用紙８０がスキャナ装置２１にセットされ、解答用紙８０に記入された情報がスキャナ装置２１にて読み取られる（ステップＳ１）。
【００３０】
図３は、図１に示した解答用紙８０の詳細な構成を示す図である。
【００３１】
図３に示すように、本形態における解答用紙８０には、上述したように受講者ＩＤが二次元コード８１によって表現されて記載されている他に、問題用紙７０に記載された問題に対する解答を記入するための解答記入領域８２と、添削者がコメントを記入するためのコメント記入領域８３と、解答記入領域８２に記入された解答に対する点数を記入するための点数記入領域８４とが設けられており、解答記入領域８２に記入された解答に対する添削者のコメントが解答記入領域８２あるいはコメント記入領域８３に記入され、また、解答記入領域８２に記入された解答に対する点数が点数記入領域８４に記入された後において、この解答用紙８０がスキャナ装置２１にセットされ、スキャナ装置２１にて、解答記入領域８２に記入された解答及びコメントと、コメント記入領域８３に記入されたコメントと、点数記入領域８４に記入された点数とがイメージデータとして読み取られることになる。
【００３２】
スキャナ装置２１にて読み取られた情報は添削者端末２０に取り込まれるが、その際、二次元コード８１から受講者ＩＤが認識されるとともに、点数記入領域８４から読み取られた点数がＯＣＲ認識される。また、解答記入領域８２に記入された解答及びコメント、並びに点数記入領域８４に記入された点数においては、問題番号に対応づけて添削者端末２０に取り込まれる。なお、本形態においては、受講者ＩＤが二次元コード８１によって表現されているが、受講者ＩＤがそのまま記載されていることや、バーコード情報によって記載されていることも考えられる。
【００３３】
次に、添削者端末２０において、添削された解答用紙８０に記入された情報を添削情報管理サーバ３０にアップロードするための添削情報登録ページにアクセスが行われると（ステップＳ２）、添削情報管理サーバ３０から添削情報登録ページが送信され（ステップＳ３）、添削者端末２０にて受信、表示される（ステップＳ４）。
【００３４】
その後、スキャナ装置２１から取り込まれた情報が添削者端末２０からアップロードされると（ステップＳ５）、添削情報管理サーバ３０の添削情報登録部３２において、添削情報データベース５３のうち、添削者端末２０からアップロードされた情報に含まれる受講者ＩＤによって特定可能な領域が設定され、その領域に、解答記入領域８２に記入された解答及びコメントがイメージデータとして登録されるとともに、点数記入領域８４に記入された点数がテキストデータとして登録される（ステップＳ６）。なお、これらの情報は、問題番号と対応づけて添削情報データベース５３に登録される。
【００３５】
次に、受講者に添削結果が通知される際の処理について、添削情報管理サーバ３０から受講者端末１０−１に添削結果が通知される場合を例に挙げて説明する。
【００３６】
図４は、図１に示した通信添削システムにて添削情報管理サーバ３０から受講者端末１０−１に添削結果が通知される際の処理を説明するためのフローチャートである。
【００３７】
添削者端末２０からアップロードされた情報が添削情報データベース５３に登録されると、添削情報管理サーバ３０のアクセス先通知部３４において、添削者端末２０からアップロードされた情報に含まれる受講者ＩＤに対応づけて受講者情報データベース５１に登録された電子メールアドレスを宛先とし、添削者端末２０からアップロードされた情報に含まれる受講者ＩＤによって特定可能な領域にアクセスするためのアクセス情報が掲載された電子メールが作成され、送信される（ステップＳ１１）。ここで、本形態においては、電子メールの送信先を受講者端末１０−１とするが、この電子メールには、受講者端末１０−１を所有する受講者の受講者ＩＤによって特定可能な領域がＵＲＬ等のアクセス情報として掲載されている。
【００３８】
アクセス先通知部３４から送信された電子メールがインターネット４０を介して受講者端末１０−１にて受信、表示された後（ステップＳ１２）、電子メールに掲載されたアクセス情報が指定されると（ステップＳ１３）、添削情報登録部３２において、添削情報データベース５３のうち指定されたアクセス情報によってアクセスされる領域から添削情報が抽出され、添削結果提供部３３から添削情報提供画面が送信される（ステップＳ１４）。
【００３９】
添削結果提供部３３から送信された添削情報提供画面は、インターネット４０を介して受講者端末１０−１にて受信、表示される（ステップＳ１５）。
【００４０】
図５は、図１に示した添削結果提供部３３から送信され、受講者端末１０−１にて受信、表示される添削情報提供画面の構成を示す図である。
【００４１】
図５に示すように、添削結果提供部３３から送信され、受講者端末１０−１にて受信、表示される添削情報提供画面においては、問題番号毎に、解答用紙８０の点数記入領域８４（図３参照）から読み取られた点数１が掲載されているとともに、その添削イメージを表示するための添削イメージ指定ボタン２と、その問題について補習を行う場合に指定する補習指定ボタン３とが掲載されている。
【００４２】
図５に示したような添削情報提供画面が受講者端末１０−１に表示された後、添削イメージを表示するために（ステップＳ１６）、添削イメージ指定ボタン２が押下されると（ステップＳ１７）、ステップＳ１３にて指定されたアクセス情報によってアクセスされる領域にて、押下された添削イメージ指定ボタン２に対応する問題番号に対応づけられた添削イメージ画面が添削結果提供部３３から送信され（ステップＳ１８）、受講者端末１０−１にて受信、表示される（ステップＳ１９）。
【００４３】
図６は、図１に示した添削情報管理サーバ３０から送信され、受講者端末１０−１にて受信、表示される添削イメージ画面の例を示す図である。
【００４４】
図６に示すように、図１に示した添削情報管理サーバ３０から送信され、受講者端末１０−１にて受信、表示される添削イメージ画面においては、解答用紙８０の解答記入領域８２（図３参照）やコメント記入領域８３（図３参照）から読み取られたイメージデータのうち、ステップＳ１７にて押下された添削イメージ指定ボタン２に対応する問題番号のイメージデータが添削イメージ４として掲載されているとともに、終了ボタン５ａが設けられている。
【００４５】
添削イメージ４が閲覧された後（ステップＳ２０）、終了ボタン５ａが押下されると（ステップＳ２１）、図５に示した添削情報提供画面が受講者端末１０−１に表示される。
【００４６】
また、図５に示した添削情報提供画面が受講者端末１０−１に表示された後、所望の問題について補習を行うために（ステップＳ２２）、補習指定ボタン３が押下されると（ステップＳ２３）、問題情報管理部３１において、問題情報データベース５２の中から、押下された補習指定ボタン３に対応する問題番号に対応づけられた補習ポイントが検索され、この補習ポイントが掲載された補習ページが添削結果提供部３３から送信される（ステップＳ２４）。
【００４７】
添削結果提供部３３から送信された補習ページは、インターネット４０を介して受講者端末１０−１にて受信され、表示される（ステップＳ２５）。
【００４８】
図７は、図１に示した添削結果提供部３３から送信され、受講者端末１０−１にて受信、表示される補習ページの一例を示す図である。
【００４９】
図７に示すように、添削結果提供部３３から送信され、受講者端末１０−１にて受信、表示される補習ページにおいては、ステップＳ２３にて押下された補習指定ボタン３に対応する問題番号に対応づけられた補習ポイント６が掲載されているとともに、この問題の関連問題を行うための関連問題指定ボタン７と、終了ボタン５ｂとが設けられている。
【００５０】
添削結果提供部３３から送信された補習ページが受講者端末１０−１にて受信、表示された後、この問題の関連問題を行うために（ステップＳ２６）関連問題指定ボタン７が押下されると（ステップＳ２７）、問題情報管理部３１において、問題情報データベース５２の中から、ステップＳ２３にて押下された補習指定ボタン３に対応する問題番号に対応づけられた関連問題が検索され、この関連問題が掲載された関連問題掲載画面が添削結果提供部３３から送信される（ステップＳ２８）。ここで、問題情報データベース５２においては、問題情報毎に補習ポイントや関連問題及びその解答が登録されており、また、問題情報管理部３１においては、印刷部６０にて問題用紙７０が印刷される際に、受講者ＩＤのそれぞれについて、問題用紙７０に印刷された問題の問題番号と内容とが互いに対応づけて登録されているため、受講者ＩＤによって特定される領域に登録された添削情報を用いて補習ポイントや関連問題が指定された場合、その補習ポイントや関連問題が指定された問題が認識され、この問題に対応する補習ポイントや関連問題が問題情報データベース５２から検索されることになる。
【００５１】
添削結果提供部３３から送信された関連問題掲載画面は、インターネット４０を介して受講者端末１０−１にて受信され、表示される（ステップＳ２９）。
【００５２】
図８は、図１に示した添削結果提供部３３から送信され、受講者端末１０−１にて受信、表示される関連問題掲載画面の一例を示す図である。
【００５３】
図８に示すように、添削結果提供部３３から送信され、受講者端末１０−１にて受信、表示される関連問題掲載画面においては、ステップＳ２３にて押下された補習指定ボタン３に対応する問題番号に対応づけられた関連問題８が掲載されているとともに、関連問題８の解答を入力するための解答入力領域９と、解答入力領域９に入力された解答を添削情報管理サーバ３０に送信するための送信ボタン９ａとが設けられている。
【００５４】
図８に示した関連問題掲載画面に掲載された関連問題８の解答が解答入力領域９に入力され、送信ボタン９ａが押下されると（ステップＳ３０）、解答入力領域９に入力された解答が添削情報管理サーバ３０にて受信され（ステップＳ３１）、添削情報管理サーバ３０の問題情報管理部３１において、問題情報データベース５２が参照され、受信された解答が採点され（ステップＳ３２）、採点結果が受講者端末１０−１に送信され（ステップＳ３３）、受講者端末１０−１にて受信、表示されることになる（ステップＳ３４）。
【００５５】
また、図７に示したような補習ページにて終了ボタン５ｂが押下されると（ステップＳ３５）、図５に示した添削情報提供画面が受講者端末１０−１に表示される。
【００５６】
（第２の実施の形態）
図９は、本発明の通信添削システムの第２の実施の形態を示す図である。
【００５７】
本形態は図９に示すように、受講者情報データベース５１及び問題情報データベース５２を参照して問題用紙７０及び解答用紙８０を印刷し、受講者に配布する印刷部６０と、受講者が所有し、インターネット４０に接続可能に構成され、また、問題用紙７０に印刷された二次元コード７１を読み取り可能に構成された受講者端末１０−１〜１０−ｎと、添削された解答用紙に記入された情報をイメージデータとして読み取る読取手段であるスキャナ装置２１と、インターネット４０に接続され、スキャナ装置２１にて読み取られた情報をインターネット４０を介してアップロードするための添削者端末２０と、添削者端末２０からアップロードされた情報を添削情報データベース５３に登録するとともに、添削情報データベース５３に登録された情報や問題情報データベース５２に登録された情報を受講者端末１０−１〜１０−ｎに送信する添削情報管理サーバ３０とから構成されている。また、添削情報管理サーバ３０は、添削者端末２０からアップロードされた情報を、添削情報データベース５３のうち、解答用紙８０に記載された二次元コード８１によって特定可能な領域に登録するとともに、受講者端末１０−１〜１０−ｎにてその領域にアクセスされた場合に添削情報データベース５３に登録された情報を検索する添削情報登録部３２と、受講者端末１０−１〜１０−ｎにおける指定に従って問題情報データベース５２に登録された情報を検索する問題情報管理部３１と、添削情報登録部３２にて添削情報データベース５３から検索された情報や問題情報管理部３１にて問題情報データベース５２から検索された情報をインターネット４０を介して受講者端末１０−１〜１０−ｎに送信する添削結果提供部３３とから構成されている。
【００５８】
以下に、上記のように構成された通信添削システムにおける通信添削処理について説明する。
【００５９】
まず、印刷部６０において、受講者情報データベース５１及び問題情報データベース５２が参照され、問題用紙７０及び解答用紙８０が印刷される。ここで、問題用紙７０に印刷される問題においては、例えば、受講者情報データベース５１に登録された受講者の学習レベルに応じた問題が問題情報データベース５２から抽出されて問題用紙７０に印刷されることが考えられる。そのため、受講者情報データベース５１には、受講者の受講者ＩＤや、受講者の氏名や住所等の属性情報の他に、学習レベルについての情報が登録されている。また、解答用紙８０には、受講者情報データベース５１に登録された受講者ＩＤが識別情報として二次元コード８１によって表現されて印刷されているとともに、受講者がパスワードを記入するためのパスワード記入領域８５が設けられている。また、問題用紙７１には、その後、添削された解答用紙８０に記入された情報が登録される領域にアクセスするためのアクセス情報が二次元コード７１によって表現されて印刷されている。これらの情報が印刷された問題用紙７０及び解答用紙８０は、その後、受講者に配布される。
【００６０】
受講者は、印刷部６０から配布された問題用紙７０及び解答用紙８０を受け取ると、問題用紙７０に印刷された問題に対する解答を解答用紙８０に記入するとともに、パスワード記入領域８５にパスワードを記入し、添削者に送付する。
【００６１】
添削者は、受講者から送付されてきた解答用紙８０に記入された解答に対して添削を行い、添削された解答用紙８０に記入された情報を添削情報管理サーバ３０にアップロードする。なお、添削された解答用紙８０に記入された情報の添削情報管理サーバ３０へのアップロード処理については、第１の実施の形態において説明したものと同様の処理にて行われるが、スキャナ装置２１にて解答用紙８０から読み取られた情報が添削者端末２０に取り込まれる際に、パスワード記入領域８５に記入されたパスワードがＯＣＲ認識され、解答記入領域８２（図３参照）に記入された解答及びコメントと、コメント記入領域８３（図３参照）に記入されたコメントと、点数記入領域８４（図３参照）とともに、添削情報管理サーバ３０にアップロードされることになる。これらの情報が添削情報管理サーバ３０にアップロードされると、添削情報管理サーバ３０の添削情報登録部３２において、添削情報データベース５３のうち、添削者端末２０からアップロードされた情報に含まれる受講者ＩＤによって特定可能な領域が設定され、その領域に、解答記入領域８２に記入された解答及びコメントがイメージデータとして登録されるとともに、点数記入領域８４に記入された点数がテキストデータとして登録されることになるが、この領域は、問題用紙７０に印刷された二次元コード７１によってアクセス可能な領域となっている。
【００６２】
次に、受講者に添削結果が通知される際の処理について、添削情報管理サーバ３０から受講者端末１０−１に添削結果が通知される場合を例に挙げて説明する。
【００６３】
図１０は、図９に示した通信添削システムにて添削情報管理サーバ３０から受講者端末１０−１に添削結果が通知される際の処理を説明するためのフローチャートである。
【００６４】
受講者端末１０−１にて、問題用紙７０に印刷された二次元コード７１が読み取られると（ステップＳ４１）、この二次元コード７１によって、添削情報データベース５３のうち、解答記入領域８２に記入された解答及びコメントがイメージデータとして登録されるとともに、点数記入領域８４に記入された点数がテキストデータとして登録されている領域にアクセスが行われ、添削情報管理サーバ３０から、まず、パスワードを入力するためのパスワード入力画面が送信される（ステップＳ４２）。
【００６５】
添削情報管理サーバ３０から送信されたパスワード入力画面が受講者端末１０−１にて受信、表示された後（ステップＳ４３）、受講者端末１０−１にてパスワードが入力されて送信されると（ステップＳ４４）、受講者端末１０−１から送信されたパスワードが添削情報管理サーバ３０にて受信される（ステップＳ４５）。
【００６６】
すると、添削情報管理サーバ３０の添削情報登録部３２において、添削情報データベース５３のうち、ステップＳ４１にて読み取られた二次元コード７１によってアクセスされる領域に登録されたパスワードと、ステップＳ４５にて受信されたパスワードとが照合される（ステップＳ４６）。ここで、添削情報データベース５３のうち二次元コード７１によってアクセスされる領域には、上述したように、解答用紙８０のパスワード記入領域８２に記入されたパスワードが登録されているため、ステップＳ４５にて受信されたパスワードが、ステップＳ４１にて読み取られた二次元コード７１によってアクセスされる領域に登録されたパスワードと一致しない場合は、解答用紙８０のパスワード記入領域８２にパスワードを記入した受講者以外のものによるアクセスと判断され、パスワードが一致しない旨が受講者端末１０−１に通知される（ステップＳ４７，Ｓ４８）。
【００６７】
また、ステップＳ４５にて受信されたパスワードが、ステップＳ４１にて読み取られた二次元コード７１によってアクセスされる領域に登録されたパスワードと一致する場合は、その後、図４に示したステップＳ１４〜Ｓ３５と同様の処理が行われることになる。
【図面の簡単な説明】
【００６８】
【図１】本発明の通信添削システムの第１の実施の形態を示す図である。
【図２】図１に示した通信添削システムにおいて、添削された解答用紙に記入された情報が添削情報管理サーバに登録される場合の処理を説明するためのフローチャートである。
【図３】図１に示した解答用紙の詳細な構成を示す図である。
【図４】図１に示した通信添削システムにて添削情報管理サーバから受講者端末に添削結果が通知される際の処理を説明するためのフローチャートである。
【図５】図１に示した添削結果提供部から送信され、受講者端末にて受信、表示される添削情報提供画面の構成を示す図である。
【図６】図１に示した添削情報管理サーバから送信され、受講者端末にて受信、表示される添削イメージ画面の例を示す図である。
【図７】図１に示した添削結果提供部から送信され、受講者端末にて受信、表示される補習ページの一例を示す図である。
【図８】図１に示した添削結果提供部から送信され、受講者端末にて受信、表示される関連問題掲載画面の一例を示す図である。
【図９】本発明の通信添削システムの第２の実施の形態を示す図である。
【図１０】図９に示した通信添削システムにて添削情報管理サーバから受講者端末に添削結果が通知される際の処理を説明するためのフローチャートである。
【符号の説明】
【００６９】
１    点数
２    添削イメージ指定ボタン
３    補習指定ボタン
４    添削イメージ
５ａ，５ｂ    終了ボタン
６    補習ポイント
７    関連問題指定ボタン
８    関連問題
９    解答入力領域
９ａ    送信ボタン
１０−１〜１０−ｎ    受講者端末
２０    添削者端末
２１    スキャナ装置
３０    添削情報管理サーバ
３１    問題情報管理部
３２    添削情報登録部
３３    添削結果提供部
３４    アクセス先通知部
４０    インターネット
５１    受講者情報データベース
５２    問題情報データベース
５３    添削情報データベース
６０    印刷部
７０    問題用紙
７１，８１    二次元コード
８０    解答用紙
８２    解答記入領域
８３    コメント記入領域
８４    点数記入領域
【図１】
2005107164.tif 000003
【図２】
2005107164.tif 000004
【図３】
2005107164.tif 000005
【図４】
2005107164.tif 000006
【図５】
2005107164.tif 000007
【図６】
2005107164.tif 000008
【図７】
2005107164.tif 000009
【図８】
2005107164.tif 000010
【図９】
2005107164.tif 000011
【図１０】
2005107164.tif 000012